(57)【要約】【課題】バンド部材を切断することなくマウント部材からケーブルを取り外すことが可能なケーブル固定部材を提供する。【解決手段】ケーブル固定部材１は、バンド部材１００と、前記バンド部材を支持部材に固定するためのマウント部材２００と、を備える。前記バンド部材１００は、前記ケーブル２の周囲を包囲可能な長さを有するバンド部１１０と、前記バンド部１１０の一端部に接続されており、前記バンド部１１０の他端部を固定可能なヘッド部１２０と、を有する。前記マウント部材２００は、前記ヘッド部１２０を着脱自在に保持する保持部２２０を有する。【選択図】図１
2020129933.tif 000002
【特許請求の範囲】
【請求項１】
ケーブルを結束するバンド部材と、
前記バンド部材を支持部材に固定するためのマウント部材と、を備え、
前記バンド部材は、
前記ケーブルの周囲を包囲可能な長さを有するバンド部と、
前記バンド部の一端部に接続されており、前記バンド部の他端部を固定可能なヘッド部と、を有し、
前記マウント部材は、前記ヘッド部を着脱自在に保持する保持部を有する、ケーブル固定部材。
【請求項２】
前記マウント部材は、前記ヘッド部を前記保持部に向けて案内する案内部を有する、請求項１に記載のケーブル固定部材。
【請求項３】
前記保持部は、前記ケーブルの長手方向と直交するケーブル直交方向の両側から前記バンド部を挟み込む挟持部を有している、請求項１または２に記載のケーブル固定部材。
【請求項４】
前記マウント部材は、前記支持部材に固定されるベースをさらに有し、
前記保持部は、前記ベースが前記支持部材に固定された状態において前記ベースのうち前記支持部材側と反対側の端部に接続されており、
前記挟持部は、
前記ベースと前記保持部とを結ぶ高さ方向において前記ベースから離間する向きに突出する第１挟持部と、
前記高さ方向において前記第１挟持部とともに前記バンド部を挟み込む第２挟持部と、を有する、請求項３に記載のケーブル固定部材。
【請求項５】
前記ヘッド部は、前記バンド部の前記一端部が接続された接続端面を有し、
前記バンド部は、
前記接続端面から前記接続端面と直交する方向に沿って突出する突出部と、
前記突出部の先端部から前記突出部と交差する方向に延びる形状を有するバンド本体と、を有し、
前記接続端面および前記バンド本体は、前記接続端面と直交する方向の両側から前記第２挟持部を挟持する、請求項４に記載のケーブル固定部材。
【請求項６】
前記保持部には、前記ヘッド部の挿通を許容するヘッド部挿通孔が設けられており、
前記第２挟持部は、前記ヘッド部挿通孔へ前記ヘッド部を挿通する方向における上流側に設けられた第２切欠きを有する、請求項４または５に記載のケーブル固定部材。
【請求項７】
前記第１挟持部は、前記ヘッド部挿通孔から前記ヘッド部を引き抜く方向における上流側に形成された第１切欠きを有する、請求項６に記載のケーブル固定部材。
【請求項８】
前記第２挟持部は、前記ベースに対して前記バンド部材が前記ケーブルの長手方向に相対変位するのを規制するように前記バンド部を受ける受け溝を有する、請求項４から７のいずれかに記載のケーブル固定部材。
【請求項９】
前記マウント部材は、前記保持部に前記ヘッド部が保持された状態において前記ケーブルを受ける受け部を有する、請求項１から８のいずれかに記載のケーブル固定部材。
【発明の詳細な説明】
【技術分野】
【０００１】
この発明は、ケーブル固定部材に関する。
【背景技術】
【０００２】
従来、車両等にケーブルを固定するためのケーブル固定部材が知られている。例えば、特開２０１３−９０４５２号公報（以下、「特許文献１」という。）には、多層ケーブル用プロテクタと、複数のケーブルに巻き付けられる結束バンドと、を備えるケーブル固定部材が開示されている。多層ケーブル用プロテクタは、ケーブルの外周面に接する内周面を有するプロテクタ本体と、プロテクタ本体の外周面に設けられた取付部と、プロテクタ本体の外周面に設けられたバンド挿通部と、を有している。取付部は、車両側に固定されたブラケットに差し込み固定される部位である。バンド挿通部は、結束バンドを挿通させる部位である。
【先行技術文献】
【特許文献】
【０００３】
【特許文献１】特開２０１３−９０４５２号公報
【発明の概要】
【発明が解決しようとする課題】
【０００４】
特許文献１に記載されるようなケーブル固定部材では、多層ケーブル用プロテクタ（以下、「マウント部材」と表記する。）からケーブルを取り外すには、ニッパ等の特殊工具による結束バンドの切断が必要となる。
【０００５】
本発明の目的は、バンド部材を切断することなくマウント部材からケーブルを取り外すことが可能なケーブル固定部材を提供することである。
【課題を解決するための手段】
【０００６】
この発明に従ったケーブル固定部材は、ケーブルを結束するバンド部材と、前記バンド部材を支持部材に固定するためのマウント部材と、を備える。前記バンド部材は、前記ケーブルの周囲を包囲可能な長さを有するバンド部と、前記バンド部の一端部に接続されており、前記バンド部の他端部を固定可能なヘッド部と、を有する。前記マウント部材は、前記ヘッド部を着脱自在に保持する保持部を有する。
【０００７】
本ケーブル固定部材は、ヘッド部を着脱自在に保持する保持部を有しているため、ヘッド部を保持部に保持させることにより、バンド部材を介してケーブルをマウント部材に接続することができ、逆に、ヘッド部を保持部から取り外すことにより、バンド部を切断することなくケーブルをマウント部材から取り外すことが可能となる。
【０００８】
また、前記マウント部材は、前記ヘッド部を前記保持部に向けて案内する案内部を有することが好ましい。
【０００９】
このようにすれば、マウント部材を支持部材に固定した状態において、ヘッド部を案内部に沿って保持部に向けて移動させることにより、ヘッド部の保持部への取付けが可能となる。このため、作業者は、ヘッド部を視認することなく当該ヘッド部を保持部へ取り付けることが可能となる。
【００１０】
また、前記保持部は、前記ケーブルの長手方向と直交するケーブル直交方向の両側から前記バンド部を挟み込む挟持部を有していることが好ましい。
【００１１】
このようにすれば、ケーブル直交方向におけるバンド部材のマウント部材に対する相対変位が抑制される。
【００１２】
また、前記マウント部材は、前記支持部材に固定されるベースをさらに有し、前記保持部は、前記ベースが前記支持部材に固定された状態において前記ベースのうち前記支持部材側と反対側の端部に接続されていてもよい。この場合において、前記挟持部は、前記ベースと前記保持部とを結ぶ高さ方向において前記ベースから離間する向きに突出する第１挟持部と、前記高さ方向において前記第１挟持部とともに前記バンド部を挟み込む第２挟持部と、を有することが好ましい。
【００１３】
また、前記ヘッド部は、前記バンド部の前記一端部が接続された接続端面を有し、前記バンド部は、前記接続端面から前記接続端面と直交する方向に沿って突出する突出部と、前記突出部の先端部から前記突出部と交差する方向に延びる形状を有するバンド本体と、を有していてもよい。この場合において、前記接続端面および前記バンド本体は、前記接続端面と直交する方向の両側から前記第２挟持部を挟持することが好ましい。
【００１４】
このようにすれば、接続端面と直交する方向におけるバンド部材のマウント部材に対する相対変位が抑制される。
【００１５】
また、前記保持部には、前記ヘッド部の挿通を許容するヘッド部挿通孔が設けられており、前記第２挟持部は、前記ヘッド部挿通孔へ前記ヘッド部を挿通する方向における上流側に設けられた第２切欠きを有することが好ましい。
【００１６】
このようにすれば、ヘッド部のヘッド部挿通孔への挿入操作が容易になる。
【００１７】
この場合において、前記第１挟持部は、前記ヘッド部挿通孔から前記ヘッド部を引き抜く方向における上流側に形成された第１切欠きを有することが好ましい。
【００１８】
このようにすれば、ヘッド部のヘッド部挿通孔からの引き抜き操作が容易になる。
【００１９】
また、前記第２挟持部は、前記ベースに対して前記バンド部材が前記ケーブルの長手方向に相対変位するのを規制するように前記バンド部を受ける受け溝を有することが好ましい。
【００２０】
このようにすれば、ケーブルの長手方向におけるバンド部材のマウント部材に対する相対変位が抑制される。
【００２１】
また、前記マウント部材は、前記保持部に前記ヘッド部が保持された状態において前記ケーブルを受ける受け部を有することが好ましい。
【００２２】
このようにすれば、ケーブルがマウント部材に固定された状態が安定する。
【発明の効果】
【００２３】
以上に説明したように、この発明によれば、バンド部材を切断することなくマウント部材からケーブルを取り外すことが可能なケーブル固定部材を提供することができる。
【図面の簡単な説明】
【００２４】
【図１】本発明の一実施形態のケーブル固定部材の斜視図である。
【図２】図１に示されるケーブル固定部材のバンド部材の斜視図である。
【図３】図１に示されるケーブル固定部材のマウント部材の斜視図である。
【図４】図１に示されるケーブル固定部材の平面図である。
【図５】図４におけるＶ−Ｖ線での断面図である。
【図６】バンド部材のマウント部材への取付け工程の一例を示す断面図である。
【図７】ヘッド部のヘッド部挿通孔への挿通直前の状態を示す断面図である。
【図８】ヘッド部のヘッド部挿通孔への挿通直後の状態を示す断面図である。
【図９】バンド部材のマウント部材への取付けが完了した状態を示す断面図である。
【発明を実施するための形態】
【００２５】
この発明の実施の形態について、図面を参照して説明する。なお、以下で参照する図面では、同一またはそれに相当する部材には、同じ番号が付されている。
【００２６】
図１は、本発明の一実施形態のケーブル固定部材を概略的に示す斜視図である。図２は、図１に示されるケーブル固定部材のバンド部材の斜視図である。図３は、図１に示されるケーブル固定部材のマウント部材の斜視図である。図４は、図１に示されるケーブル固定部材の平面図である。図５は、図４におけるＶ−Ｖ線での断面図である。
【００２７】
本実施形態のケーブル固定部材１は、ケーブル２を図示略の支持部材（車両の車体やフレーム等）に固定するための部材である。図１〜図５に示されるように、ケーブル固定部材１は、バンド部材１００と、マウント部材２００と、を有している。
【００２８】
バンド部材１００は、ケーブル２を結束する部材である。なお、バンド部材１００は、少なくとも一本のケーブル２を結束可能である。バンド部材１００は、バンド部１１０と、ヘッド部１２０と、を有している。
【００２９】
バンド部１１０は、ケーブル２の周囲を包囲する部位である。バンド部１１０は、長尺状に形成されている。バンド部１１０の詳細については、後述する。
【００３０】
ヘッド部１２０は、バンド部１１０の一端部に接続されており、バンド部１１０の他端部を固定可能である。本実施形態では、ヘッド部１２０は、バンド部１１０と一体的に形成されている。ヘッド部１２０には、バンド部１１０の他端部の挿入を許容する挿入口１２０ｈが設けられている。この挿入口１２０ｈにバンド部１１０の他端部が挿入されることにより、バンド部１１０の他端部がヘッド部１２０に固定される。ヘッド部１２０は、接続端面１２２と、外側端面１２４と、外周面１２６と、を有している。
【００３１】
接続端面１２２は、バンド部１１０の一端部が接続されている端面である。接続端面１２２は、平坦に形成されている。
【００３２】
外側端面１２４は、接続端面１２２と平行な平面で構成されている。挿入口１２０ｈは、接続端面１２２と外側端面１２４とを連通している。
【００３３】
外周面１２６は、接続端面１２２の縁部および外側端面１２４の縁部を接続している。外周面１２６は、テーパ面１２７と、反対面１２８と、を有している。
【００３４】
テーパ面１２７は、平坦に形成されている。テーパ面１２７は、外側端面１２４から接続端面１２２に近づくにしたがって、当該テーパ面１２７および挿入口１２０ｈ間の距離（図５における上下方向の距離）が次第に大きくなるように傾斜する形状を有している。
【００３５】
反対面１２８は、平坦に形成されている。反対面１２８は、外周面１２６のうち挿入口１２０ｈを基準としてテーパ面１２７とは反対側（図５における下側）に形成された平面である。反対面１２８と接続端面１２２との境界部（角部）１２９は、テーパ面１２７と外側端面１２４との境界部から離間する向き（図５における右下向き）に凸となるように湾曲する形状を有している。
【００３６】
ここで、バンド部１１０の詳細について説明する。バンド部１１０は、突出部１１２と、バンド本体１１４と、を有している。
【００３７】
突出部１１２は、ヘッド部１２０の接続端面１２２から当該接続端面１２２と直交する方向に突出する形状を有している。
【００３８】
バンド本体１１４は、ケーブル２の周囲を包囲可能な長さを有している。バンド本体１１４の一端部は、突出部１１２の先端部に接続されている。バンド本体１１４は、突出部１１２と交差する方向に伸びる形状を有している。本実施形態では、バンド本体１１４は、突出部１１２と直交する方向に伸びる形状を有している。バンド本体１１４の他端部は、接続端面１２２から外側端面１２４に向かって挿入口１２０ｈ（図５を参照）に挿入される。なお、バンド本体１１４の他端部のうち挿入口１２０ｈから露出した部分は、切断されてもよい。
【００３９】
マウント部材２００は、バンド部材１００を支持部材に固定するための部材である。マウント部材２００は、ベース２１０と、保持部２２０と、を有している。なお、マウント部材２００の支持部材への取付け姿勢は問われないが、以下、便宜的に、図５に基づいて上下方向を定義する。また、図４及び図５における左右方向を幅方向と定義し、図５における上下方向を高さ方向と定義し、図４における上下方向を奥行き方向と定義する。マウント部材２００は、幅方向における当該マウント部材２００の中央を通る第１平面を基準として対称な形状を有している。マウント部材２００は、奥行き方向における当該マウント部材２００の中央を通る第２平面を基準として対称な形状を有している。
【００４０】
ベース２１０は、支持部材に固定される部位である。ベース２１０は、第１脚部２１２と、第２脚部２１４と、第１接続部２１６と、第２接続部２１８と、を有している。
【００４１】
第１脚部２１２および第２脚部２１４は、それぞれ平板状に形成されている。第２脚部２１４は、第１脚部２１２の厚さ方向（図４における上下方向）に第１脚部２１２から離間しかつ第１脚部２１２と平行となる姿勢で配置されている。第１脚部２１２および第２脚部２１４には、マウント部材２００を支持部材に取り付けるための取付けバンド（図示略）の挿通を許容する挿通孔２１２ｈ，２１４ｈが設けられている。
【００４２】
第１接続部２１６は、第１脚部２１２の下端部と第２脚部２１４の下端部とを接続している。第１接続部２１６は、第１脚部２１２及び第２脚部２１４に直交している。第１接続部２１６は、平板状に形成されている。幅方向における第１接続部２１６の寸法は、同方向における各脚部２１２，２１４の寸法よりも小さく設定されている。
【００４３】
第２接続部２１８は、第１脚部２１２の上端部と第２脚部２１４の上端部とを接続している。第２接続部２１８は、第１脚部２１２及び第２脚部２１４に直交している。第２接続部２１８の上面（第１脚部２１２及び第２脚部２１４のうち支持部材に当接する側の端面と反対側の端面）２１８ａは、ケーブル２を受ける「受け部」を構成している。第２接続部２１８の上面２１８ａは、平坦に形成されている。
【００４４】
第２接続部２１８は、案内部２１９を有している。案内部２１９は、幅方向にヘッド部１２０を案内する。案内部２１９は、第２接続部２１８のうち奥行き方向における中央部に形成されている。案内部２１９は、第２接続部２１８の上面２１８ａ（受け部）から下方（支持部材と当接する側）に窪む形状を有している。案内部２１９は、平坦に形成されている。
【００４５】
保持部２２０は、ヘッド部１２０を着脱自在に保持可能である。保持部２２０は、ベース２１０に接続されている。本実施形態では、保持部２２０は、ベース２１０が支持部材に固定された状態において、ベース２１０のうち支持部材に当接する側と反対側（図５における上側）の端部に接続されている。保持部２２０は、ベース２１０のうち幅方向における両端部に接続されている。保持部２２０には、ヘッド部１２０の挿通を許容するヘッド部挿通孔２２０ｈが設けられている。具体的に、ヘッド部挿通孔２２０ｈは、幅方向へのヘッド部１２０の挿通を許容する形状に形成されている。保持部２２０は、第１柱部２２２と、第２柱部２２４と、挟持部２２６と、を有している。第１柱部２２２、第２柱部２２４及び挟持部２２６は、ヘッド部挿通孔２２０ｈを取り囲んでいる。
【００４６】
第１柱部２２２は、幅方向における第１脚部２１２の両端部から上方に突出する形状を有している。各第１柱部２２２のうち幅方向に互いに対向する面は、上方に向かうにしたがって互いに離間するように傾斜する形状を有している。幅方向における第１柱部２２２の外側面は、同方向における第１脚部２１２の外側面と高さ方向において面一に形成されている。
【００４７】
第２柱部２２４は、第２平面に対して第１柱部２２２と対称な形状を有している。
【００４８】
挟持部２２６は、ケーブル２の長手方向と直交するケーブル直交方向（高さ方向）の両側からバンド部１１０を挟み込む。挟持部２２６は、第１挟持部２２７と、第２挟持部２２８と、を有している。
【００４９】
第１挟持部２２７は、高さ方向において第２接続部２１８から離間する向き（上向き）に突出する形状を有している。より詳細には、第１挟持部２２７は、幅方向における第２接続部２１８の両端部から上向きに突出する形状を有している。案内部２１９と第１挟持部２２７との境界部２１９ａは、幅方向における外向きに凸となるように湾曲する形状を有している。
【００５０】
第１挟持部２２７は、第１切欠き２２７ａを有している。第１切欠き２２７ａは、第１挟持部２２７のうち、ヘッド部挿通孔２２０ｈからヘッド部１２０を引き抜く方向（幅方向において内側に向かう方向）における上流側の部位に形成されている。具体的に、第１切欠き２２７ａは、第１挟持部２２７のうち幅方向における外側でかつ高さ方向における上側の部位に形成されている。
【００５１】
第２挟持部２２８は、高さ方向において第１挟持部２２７とともにバンド部１１０を挟み込む。第２挟持部２２８は、第１柱部２２２の上端部と第２柱部２２４の上端部とを接続している。第２挟持部２２８は、第１挟持部２２７の上方に配置されている。幅方向における第２挟持部２２８の外側面は、同方向における第１柱部２２２の外側面及び第２柱部２２４の外側面と面一に形成されている。第２挟持部２２８の上面は、第１柱部２２２の上面及び第２柱部２２４の上面と面一に形成されている。図５に示されるように、第２挟持部２２８は、幅方向において第１挟持部２２７よりも外側に配置されている。第２挟持部２２８は、幅方向において接続端面１２２及びバンド本体１１４に挟持されている。換言すれば、幅方向における第２挟持部２２８の寸法は、同方向における接続端面１２２及びバンド本体１１４間の寸法と同じか僅かに大きく設定されている。
【００５２】
第２挟持部２２８は、第２切欠き２２８ａと、受け溝２２８ｂと、を有している。
【００５３】
第２切欠き２２８ａは、ヘッド部挿通孔２２０ｈへヘッド部１２０を挿通する方向（幅方向において外側に向かう方向）における上流側に設けられている。具体的に、第２切欠き２２８ａは、第２挟持部２２８のうち幅方向における内側でかつ高さ方向における下側の部位に形成されている。
【００５４】
受け溝２２８ｂは、ベース２１０に対してバンド部材１００が奥行き方向（ケーブル２の長手方向）に相対変位するのを規制するようにバンド部１１０を受ける。受け溝２２８ｂは、第２挟持部２２８のうち第２切欠き２２８ａの上側に形成されている。受け溝２２８ｂは、ヘッド部１２０が挟持部２２６に挟持された状態において、奥行き方向にバンド本体１１４の側面を受ける受け面を有している。奥行き方向における受け面間の寸法は、同方向におけるバンド本体１１４の寸法よりも僅かに大きく設定されている。
【００５５】
次に、図６〜図９を参照しながら、バンド部材１００をマウント部材２００に取り付ける操作について説明する。図６は、バンド部材のマウント部材への取付け工程の一例を示す断面図である。図７は、ヘッド部のヘッド部挿通孔への挿通直前の状態を示す断面図である。図８は、ヘッド部のヘッド部挿通孔への挿通直後の状態を示す断面図である。図９は、バンド部材のマウント部材への取付けが完了した状態を示す断面図である。バンド部材１００のマウント部材２００への取付けには、以下の結束操作、案内操作、挿入操作及び回転操作がこの順に行われる。
【００５６】
＜結束操作＞
まず、バンド部材１００によってケーブル２が結束される。具体的に、バンド本体１１４でケーブル２を結束しつつ、バンド本体１１４の他端部（先端部）がヘッド部１２０の挿入口１２０ｈに挿入される。この結束操作は、支持部材にマウント部材２００が固定されている位置から離間した位置（例えば、作業スペースが確保された位置）において行うことが可能である。
【００５７】
＜案内操作＞
次に、図６に示されるように、ケーブル２を結束したバンド部材１００のヘッド部１２０の外側端面１２４を案内部２１９に当接させる。そして、外側端面１２４を案内部２１９に当接させたまま、ヘッド部１２０を保持部２２０に向けて幅方向の外側に案内部２１９に沿ってスライドさせる。これにより、ヘッド部１２０がヘッド部挿通孔２２０ｈに案内される。このため、作業者は、ヘッド部１２０を視認することなく当該ヘッド部１２０を保持部２２０へ向けて移動させることが可能となる。図７には、案内操作後の状態が示されている。本実施形態では、幅方向における案内部２１９の両側に保持部２２０が設けられているため、ヘッド部１２０の取付けを行いやすい側を選択することが可能となる。
【００５８】
＜挿入操作＞
続いて、図７に示される状態から、ヘッド部１２０をヘッド部挿通孔２２０ｈ内に挿入させる。ここで、第２挟持部２２８には、第２切欠き２２８ａが形成されており、ヘッド部１２０のうち当該ヘッド部１２０が挿入される際に第２切欠き２２８ａと対向する部位は、テーパ面１２７に形成されているため、ヘッド部１２０のヘッド部挿通孔２２０ｈ内への挿入操作が容易になる。ヘッド部１２０のヘッド部挿通孔２２０内への挿入により、バンド本体１１４が受け溝２２８ｂに受けられる。この状態が図８に示されている。
【００５９】
＜回転操作＞
その後、接続端面１２２とバンド本体１１４とによって第２挟持部２２８が挟み込まれるように、バンド部材１００を回転させる。これにより、接続端面１２２とバンド本体１１４とによって第２挟持部２２８が挟み込まれるとともに、第１挟持部２２７と第２挟持部２２８とによってバンド部１１０が挟持される。図９には、回転操作後の状態が示されている。
【００６０】
以上の操作を経ることにより、バンド部材１００のマウント部材２００への取付けが完了する。
【００６１】
次に、マウント部材２００からバンド部材１００を取り外す操作について説明する。マウント部材２００からバンド部材１００を取り外す際は、上記の回転操作及び挿入操作の逆の操作が行われる。すなわち、接続端面１２２とバンド本体１１４との間から第２挟持部２２８が離脱するようにバンド部材１００を回転させた後、ヘッド部１２０をヘッド部挿通孔２２０ｈから引き抜く。ここで、第１挟持部２２７には、第１切欠き２２７ａが形成されており、ヘッド部１２０のうち当該ヘッド部１２０が引き抜かれる際に第１切欠き２２７ａに接する角部１２９は、第１切欠き２２７ａに向かって凸となるように湾曲する形状に形成されているため、ヘッド部１２０のヘッド部挿通孔２２０ｈからの引抜き操作が容易になる。
【００６２】
以上に説明したように、本実施形態のケーブル固定部材１は、ヘッド部１２０を着脱自在に保持する保持部２２０を有しているため、ヘッド部１２０を保持部２２０に保持させることにより、バンド部材１００を介してケーブル２をマウント部材２００に接続することができ、逆に、ヘッド部１２０を保持部２２０から取り外すことにより、バンド部１１０を切断することなくケーブル２をマウント部材２００から取り外すことが可能となる。
【００６３】
また、保持部２２０は、挟持部２２６を有しているため、高さ方向におけるバンド部材１００のマウント部材２００に対する相対変位が抑制される。このため、車両の振動等に起因するバンド部材１００のマウント部材２００からの離脱が抑制される。
【００６４】
また、接続端面１２２及びバンド本体１１４は、第２挟持部２２８を挟持しているため、幅方向におけるバンド部材１００のマウント部材２００に対する相対変位が抑制される。
【００６５】
さらに、保持部２２０は、受け溝２２８ｂを有しているため、奥行き方向におけるバンド部材１００のマウント部材２００に対する相対変位が抑制される。
【００６６】
また、マウント部材２００は、受け部（上面２１８ａ）を有しているため、ケーブル２がマウント部材２００に固定された状態が安定する。
【００６７】
なお、今回開示された実施形態はすべての点で例示であって、制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６８】
例えば、ヘッド部１２０は、弾性変形が可能な一対の爪部で構成され、保持部２２０に弾性的に結合（いわゆるスナップ結合）するように構成されてもよい。
【符号の説明】
【００６９】
１  ケーブル固定部材、２  ケーブル、１００  バンド部材、１１０  バンド部、１１２  突出部、１１４  バンド本体、１２０  ヘッド部、１２０ｈ  挿通孔、１２２  接続端面、１２４  外側端面、１２６  外周面、１２７  テーパ面、１２８  反対面、１２９  境界部、２００  マウント部材、２１０  ベース、２１２  第１脚部、２１４  第２脚部、２１６  第１接続部、２１８  第２接続部、２１８ａ  上面（受け部）、２１９  案内部、２２０  保持部、２２０ｈ  ヘッド部挿通孔、２２２  第１柱部、２２４  第２柱部、２２６  挟持部、２２７  第１挟持部、２２７ａ  第１切欠き、２２８  第２挟持部、２２８ａ  第２切欠き、２２８ｂ  受け溝。
【図１】
2020129933.tif 000003
【図２】
2020129933.tif 000004
【図３】
2020129933.tif 000005
【図４】
2020129933.tif 000006
【図５】
2020129933.tif 000007
【図６】
2020129933.tif 000008
【図７】
2020129933.tif 000009
【図８】
2020129933.tif 000010
【図９】
2020129933.tif 000011